(57)【要約】【課題】本発明はぶら下がり式携帯電話ホルダーを開示した。【解決手段】固定板を含み、前記固定板の下側には回転板が回転できるように設けられ、前記固定板の中には調整装置が設けられ、前記調整装置には固定装置が設けられ、前記回転板の中には挟み装置が設けられ、前記調整装置によってベッドボードの異なる幅に対応するために調整が行われ、そして前記固定装置によってベッドボードの下に本装置が固定され、本装置は携帯電話を安固にぶら下がらせることまたは固定することができ、さまざまな固定位置に対応して調節することができ、人々がベッドに横になって携帯電話を使用し、また携帯の方向を調整でき、同時に縦の携帯電話のホルダーとして使用されることができ、より多くの使用ニーズを満たす。【選択図】図１
2020182199.tif 000002
【特許請求の範囲】
【請求項１】
固定板を含み、前記固定板の下側には回転板が回転できるように設けられ、前記固定板の中には調整装置が設けられ、前記調整装置には固定装置が設けられ、前記回転板の中には挟み装置が設けられ、前記調整装置によってベッドボードの異なる幅に対応するために調整が行われ、そして前記固定装置によってベッドボードの下に本装置が固定され、前記挟み装置によって携帯電話の両側をきつく挟み、携帯電話の方向を調整するために前記回転板を回転させ、前記固定板の下側には回転チャンバが設けられ、前記回転チャンバの中には回転輪が回転できるように設けられ、前記回転輪の下端には外部に伸びている回転柱が連結され、前記回転板が前記回転柱の下端に連結され、前記調整装置は前記固定板の中に左右に対称的に設けられる調整チャンバを含み、前記調整チャンバの中には調整ブロックがスライドできるように設けられ、前記固定板の右側には回転つまみが回転できるように設けられ、手動で前記回転つまみを回して前記調整ブロックの動きを制御して移動させ、さらにそれにより幅を調整し、前記固定装置は前記調整ブロックの中に設けられる反転チャンバを含み、前記反転チャンバの中には固定挟み板が反転できるように設けられ、前記固定板の中の中間部分にはリールが設けられ、前記リールには引き線が巻き付いており、前記固定板の前後両側にはハンドプル板が設けられ、前記ハンドプル板を引き動かし、前記引き線によって前記リールを回転連動させ、それにより前記固定挟み板の上端を連動させて両側に反転させて開け、それからきつく挟んで固定し、前記挟み装置は前記回転板の中に左右に対称的に設けられる挟み板を含み、前記挟み板の下端は外部に延びており、且つ内側に曲がり、携帯電話をきつく挟む安定性を確保することを特徴とするぶら下がり式携帯電話ホルダー。
【請求項２】
前記調整装置は前記調整チャンバと前記調整ブロックとを含み、前記調整チャンバの下側には制御チャンバが連通するように設けられ、前記制御チャンバの中にはボルトが回転できるように設けられ、左右両側の前記ボルトのねじ山の回転方向が逆であり、前記制御チャンバの中には前記ボルトにねじ山によって連結され、且つ前記調整ブロックの下端に固定的に連結される制御ブロックがスライドできるように設けられ、前記制御チャンバの間には  軸通し穴が連通するように設けられ、前記軸通し穴の中には両端がそれぞれ両側の前記ボルトに固定的に連結される同期軸が回転できるように設けられ、右側の前記ボルトの右端には動力軸が連結され、前記動力軸の右端は外部に延びており、且つ前記回転つまみに固定的に連結されることを特徴とする請求項１に記載のぶら下がり式携帯電話ホルダー。
【請求項３】
前記固定装置は前記反転チャンバを含み、前記固定挟み板の回転軸心の下側部分の左端と前記反転チャンバの左壁との間には反転バネが連結され、前記固定挟み板の下端にはヒンジロッドがヒンジで連結され、前記反転チャンバの対称中心に近接している一側には伝動チャンバが設けられ、前記ヒンジロッドのうち中心に近接している一端が前記伝動チャンバの中に伸びており、また前記ヒンジロッドのうち中心に近接している一端にはスライド溝が設けられ、前記伝動チャンバの中において前記ヒンジロッドの下側のところには回転盤が回転できるように設けられ、前記回転盤の上端面の偏心ところには前記スライド溝の中に伸びているスライドロッドが固定的に設けられ、前記回転盤の下端には従動傘歯車が連結され、前記従動傘歯車のうち中心に近接している一端には前記従動傘歯車と噛み合う駆動傘歯車が設けられ、前記駆動傘歯車のうち中心に近接している一端にはスプライン軸が固定的に連結され、前記固定板の中間にはリールチャンバが設けられ、前記リールが前記リールチャンバの中に回転できるように設けられ、前記リールの左右両端には前記リールチャンバの両壁に回転できるように装着される回転軸が対称的に且つ固定的に設けられ、前記回転軸の中には開口の方向が中心から離れているスプライン孔が設けられ、前記スプライン軸のうち中心に近接している一端には前記スプライン孔の中に延びており、前記リールの左右両端と前記リールチャンバの両壁との間にはトーションバネが固定的に連結され、前記リールチャンバの前後両側には開口が反対であるスライドロッドチャンバが対称的に且つ連通するように設けられ、前記スライドロッドチャンバの中にはプルロッドがスライドできるように設けられ、前記プルロッドのうち中心から離れている一端が前記ハンドプル板に固定的に連結され、前記引き線は二つに分けされ、且つ前記プルロッドのうち中心に近接している一側端面にそれぞれ連結されることを特徴とする請求項１に記載のぶら下がり式携帯電話ホルダー。
【請求項４】
前記挟み装置は前記回転板の中に左右に対称的に設けられるスライドチャンバを含み、前記挟み板の上端は前記スライドチャンバの中に伸びており、前記スライドチャンバのうち中心に近接している一側には伸縮チャンバが連通するように設けられ、前記伸縮チャンバの中には伸縮ロッドがスライドできるように設けられ、前記伸縮ロッドのうち中心から離れている一端が前記挟み板に固定的に連結され、前記伸縮ロッドのうち中心に近接している一端と前記伸縮チャンバの内壁との間には張り切りばねが固定的に連結されることを特徴とする請求項１に記載のぶら下がり式携帯電話ホルダー。
【発明の詳細な説明】
【技術分野】
【０００１】
本発明は生活用品技術分野を取り上げて、具体的にはぶら下がり式携帯電話ホルダーである。
【背景技術】
【０００２】
普通の携帯電話ホルダーは使用のために平らな面にしか置くことができなく、人がベッドに横になってビデオなどを見るニーズを満たすことができなく、ベッドに固定することができる既存の携帯電話ホルダーの固定が不安定であり、携帯電話を倒しやすいことで携帯電話に損傷を与え、特に大学生などのグループにとって、彼らは夜に携帯電話で横になってテレビを見たりするのが好きで、下段寝台で寝ている学生は、上段寝台が揺れているため、携帯電話を固定するのがより困難で、したがって、  ぶら下がり式携帯電話ホルダーを強く求めており、帯電話が倒れることを防ぐことができ、同時に、それはちょうどベッドに横になってテレビを見るニーズを満たす。
【先行技術文献】
【特許文献】
【０００３】
【特許文献１】中国特許出願公開第108712542号明細書
【発明の概要】
【発明が解決しようとする課題】
【０００４】
本発明はぶら下がり式携帯電話ホルダーを提供し、既存技術にある上記欠点を解消することを目的とする。
【課題を解決するための手段】
【０００５】
本発明のぶら下がり式携帯電話ホルダーは、固定板を含み、前記固定板の下側には回転板が回転できるように設けられ、前記固定板の中には調整装置が設けられ、前記調整装置には固定装置が設けられ、前記回転板の中には挟み装置が設けられ、前記調整装置によってベッドボードの異なる幅に対応するために調整が行われ、そして前記固定装置によってベッドボードの下に本装置が固定され、前記挟み装置によって携帯電話の両側をきつく挟み、携帯電話の方向を調整するために前記回転板を回転させ、前記固定板の下側には回転チャンバが設けられ、前記回転チャンバの中には回転輪が回転できるように設けられ、前記回転輪の下端には外部に伸びている回転柱が連結され、前記回転板が前記回転柱の下端に連結され、前記調整装置は前記固定板の中に左右に対称的に設けられる調整チャンバを含み、前記調整チャンバの中には調整ブロックがスライドできるように設けられ、前記固定板の右側には回転つまみが回転できるように設けられ、手動で前記回転つまみを回して前記調整ブロックの動きを制御して移動させ、さらにそれにより幅を調整し、前記固定装置は前記調整ブロックの中に設けられる反転チャンバを含み、前記反転チャンバの中には固定挟み板が反転できるように設けられ、前記固定板の中の中間部分にはリールが設けられ、前記リールには引き線が巻き付いており、前記固定板の前後両側にはハンドプル板が設けられ、前記ハンドプル板を引き動かし、前記引き線によって前記リールを回転連動させ、それにより前記固定挟み板の上端を連動させて両側に反転させて開け、それからきつく挟んで固定し、前記挟み装置は前記回転板の中に左右に対称的に設けられる挟み板を含み、前記挟み板の下端は外部に延びており、且つ内側に曲がり、携帯電話をきつく挟む安定性を確保する。
【０００６】
さらなる技術プランには、前記調整装置は前記調整チャンバと前記調整ブロックとを含み、前記調整チャンバの下側には制御チャンバが連通するように設けられ、前記制御チャンバの中にはボルトが回転できるように設けられ、左右両側の前記ボルトのねじ山の回転方向が逆であり、前記制御チャンバの中には前記ボルトにねじ山によって連結され、且つ前記調整ブロックの下端に固定的に連結される制御ブロックがスライドできるように設けられ、前記制御チャンバの間には  軸通し穴が連通するように設けられ、前記軸通し穴の中には両端がそれぞれ両側の前記ボルトに固定的に連結される同期軸が回転できるように設けられ、右側の前記ボルトの右端には動力軸が連結され、前記動力軸の右端は外部に延びており、且つ前記回転つまみに固定的に連結される。
【０００７】
さらなる技術プランには、前記固定装置は前記反転チャンバを含み、前記固定挟み板の回転軸心の下側部分の左端と前記反転チャンバの左壁との間には反転バネが連結され、前記固定挟み板の下端にはヒンジロッドがヒンジで連結され、前記反転チャンバの対称中心に近接している一側には伝動チャンバが設けられ、前記ヒンジロッドのうち中心に近接している一端が前記伝動チャンバの中に伸びており、また前記ヒンジロッドのうち中心に近接している一端にはスライド溝が設けられ、前記伝動チャンバの中において前記ヒンジロッドの下側のところには回転盤が回転できるように設けられ、前記回転盤の上端面の偏心ところには前記スライド溝の中に伸びているスライドロッドが固定的に設けられ、前記回転盤の下端には従動傘歯車が連結され、前記従動傘歯車のうち中心に近接している一端には前記従動傘歯車と噛み合う駆動傘歯車が設けられ、前記駆動傘歯車のうち中心に近接している一端にはスプライン軸が固定的に連結され、前記固定板の中間にはリールチャンバが設けられ、前記リールが前記リールチャンバの中に回転できるように設けられ、前記リールの左右両端には前記リールチャンバの両壁に回転できるように装着される回転軸が対称的に且つ固定的に設けられ、前記回転軸の中には開口の方向が中心から離れているスプライン孔が設けられ、前記スプライン軸のうち中心に近接している一端には前記スプライン孔の中に延びており、前記リールの左右両端と前記リールチャンバの両壁との間にはトーションバネが固定的に連結され、前記リールチャンバの前後両側には開口が反対であるスライドロッドチャンバが対称的に且つ連通するように設けられ、前記スライドロッドチャンバの中にはプルロッドがスライドできるように設けられ、前記プルロッドのうち中心から離れている一端が前記ハンドプル板に固定的に連結され、前記引き線は二つに分けされ、且つ前記プルロッドのうち中心に近接している一側端面にそれぞれ連結される。
【０００８】
さらなる技術プランには、前記挟み装置は前記回転板の中に左右に対称的に設けられるスライドチャンバを含み、前記挟み板の上端は前記スライドチャンバの中に伸びており、前記スライドチャンバのうち中心に近接している一側には伸縮チャンバが連通するように設けられ、前記伸縮チャンバの中には伸縮ロッドがスライドできるように設けられ、前記伸縮ロッドのうち中心から離れている一端が前記挟み板に固定的に連結され、前記伸縮ロッドのうち中心に近接している一端と前記伸縮チャンバの内壁との間には張り切りばねが固定的に連結される。
【発明の効果】
【０００９】
有益な効果は：本装置は携帯電話を安固にぶら下がらせることまたは固定することができ、さまざまな固定位置に対応して調節することができ、人々がベッドに横になって携帯電話を使用し、また携帯の方向を調整でき、同時に縦の携帯電話のホルダーとして使用されることができ、より多くの使用ニーズを満たす。
【図面の簡単な説明】
【００１０】
【図１】図１は本発明のぶら下がり式携帯電話ホルダーの内部全体構成概略図
【図２】図２は図１の中の「Ａ―Ａ」方向の構成概略図
【図３】図３は図１の中の「Ｂ」の拡大概略図
【発明を実施するための形態】
【００１１】
下記に図１〜３を合わせて本発明を詳しく説明する。説明を便利にさせるように、後文に出る方位を下記の通りに規定する：下記の上下左右前後という方向は図１自身の投影関係の上下左右前後の方向と一致している。
【００１２】
図１〜３を参照し、本発明の実施例のぶら下がり式携帯電話ホルダーは、固定板１１を含み、前記固定板１１の下側には回転板１２が回転できるように設けられ、前記固定板１１の中には調整装置が設けられ、前記調整装置には固定装置が設けられ、前記回転板１２の中には挟み装置が設けられ、前記調整装置によってベッドボードの異なる幅に対応するために調整が行われ、そして前記固定装置によってベッドボードの下に本装置が固定され、前記挟み装置によって携帯電話の両側をきつく挟み、携帯電話の方向を調整するために前記回転板１２を回転させ、前記固定板１１の下側には回転チャンバ２１が設けられ、前記回転チャンバ２１の中には回転輪２２が回転できるように設けられ、前記回転輪２２の下端には外部に伸びている回転柱２３が連結され、前記回転板１２が前記回転柱２３の下端に連結され、前記調整装置は前記固定板１１の中に左右に対称的に設けられる調整チャンバ１３を含み、前記調整チャンバ１３の中には調整ブロック１４がスライドできるように設けられ、前記固定板１１の右側には回転つまみ１５が回転できるように設けられ、手動で前記回転つまみ１５を回して前記調整ブロック１４の動きを制御して移動させ、さらにそれにより幅を調整し、前記固定装置は前記調整ブロック１４の中に設けられる反転チャンバ１６を含み、前記反転チャンバ１６の中には固定挟み板１７が反転できるように設けられ、前記固定板１１の中の中間部分にはリール１８が設けられ、前記リール１８には引き線１９が巻き付いており、前記固定板１１の前後両側にはハンドプル板２０が設けられ、前記ハンドプル板２０を引き動かし、前記引き線１９によって前記リール１８を回転連動させ、それにより前記固定挟み板１７の上端を連動させて両側に反転させて開け、それからきつく挟んで固定し、前記挟み装置は前記回転板１２の中に左右に対称的に設けられる挟み板２４を含み、前記挟み板２４の下端は外部に延びており、且つ内側に曲がり、携帯電話をきつく挟む安定性を確保する。
【００１３】
有益的には、前記調整装置は前記調整チャンバ１３と前記調整ブロック１４とを含み、前記調整チャンバ１３の下側には制御チャンバ２５が連通するように設けられ、前記制御チャンバ２５の中にはボルト２６が回転できるように設けられ、左右両側の前記ボルト２６のねじ山の回転方向が逆であり、前記制御チャンバ２５の中には前記ボルト２６にねじ山によって連結され、且つ前記調整ブロック１４の下端に固定的に連結される制御ブロック２７がスライドできるように設けられ、前記制御チャンバ２５の間には  軸通し穴２８が連通するように設けられ、前記軸通し穴２８の中には両端がそれぞれ両側の前記ボルト２６に固定的に連結される同期軸２９が回転できるように設けられ、右側の前記ボルト２６の右端には動力軸３０が連結され、前記動力軸３０の右端は外部に延びており、且つ前記回転つまみ１５に固定的に連結される。
【００１４】
有益的には、前記固定装置は前記反転チャンバ１６を含み、前記固定挟み板１７の回転軸心の下側部分の左端と前記反転チャンバ１６の左壁との間には反転バネが連結され、前記固定挟み板１７の下端にはヒンジロッド３２がヒンジで連結され、前記反転チャンバ１６の対称中心に近接している一側には伝動チャンバ３３が設けられ、前記ヒンジロッド３２のうち中心に近接している一端が前記伝動チャンバ３３の中に伸びており、また前記ヒンジロッド３２のうち中心に近接している一端にはスライド溝３４が設けられ、前記伝動チャンバ３３の中において前記ヒンジロッド３２の下側のところには回転盤３５が回転できるように設けられ、前記回転盤３５の上端面の偏心ところには前記スライド溝３４の中に伸びているスライドロッド３６が固定的に設けられ、前記回転盤３５の下端には従動傘歯車３７が連結され、前記従動傘歯車３７のうち中心に近接している一端には前記従動傘歯車３７と噛み合う駆動傘歯車３８が設けられ、前記駆動傘歯車３８のうち中心に近接している一端にはスプライン軸３９が固定的に連結され、前記固定板１１の中間にはリールチャンバ４０が設けられ、前記リール１８が前記リールチャンバ４０の中に回転できるように設けられ、前記リール１８の左右両端には前記リールチャンバ４０の両壁に回転できるように装着される回転軸４１が対称的に且つ固定的に設けられ、前記回転軸４１の中には開口の方向が中心から離れているスプライン孔４２が設けられ、前記スプライン軸３９のうち中心に近接している一端には前記スプライン孔４２の中に延びており、前記リール１８の左右両端と前記リールチャンバ４０の両壁との間にはトーションバネ４３が固定的に連結され、前記リールチャンバ４０の前後両側には開口が反対であるスライドロッドチャンバ４４が対称的に且つ連通するように設けられ、前記スライドロッドチャンバ４４の中にはプルロッド４５がスライドできるように設けられ、前記プルロッド４５のうち中心から離れている一端が前記ハンドプル板２０に固定的に連結され、前記引き線１９は二つに分けされ、且つ前記プルロッド４５のうち中心に近接している一側端面にそれぞれ連結される。
【００１５】
有益的には、前記挟み装置は前記回転板１２の中に左右に対称的に設けられるスライドチャンバ４６を含み、前記挟み板２４の上端は前記スライドチャンバ４６の中に伸びており、前記スライドチャンバ４６のうち中心に近接している一側には伸縮チャンバ４７が連通するように設けられ、前記伸縮チャンバ４７の中には伸縮ロッド４８がスライドできるように設けられ、前記伸縮ロッド４８のうち中心から離れている一端が前記挟み板２４に固定的に連結され、前記伸縮ロッド４８のうち中心に近接している一端と前記伸縮チャンバ４７の内壁との間には張り切りばね４９が固定的に連結される。
【００１６】
初期状態にある時、固定挟み板１７は互いに近接して閉じる状態にあり、挟み板２４は中心に近接している極限位置にある。
【００１７】
携帯電話をぶら下がらせる必要があるときは、回転つまみ１５を手動で回し、動力軸３０によって右側のボルト２６を回転連動させ、同期軸２９によって左側のボルト２６を回転連動させ、両側のボルト２６のねじ山によって制御ブロック２７を互いに相対の方向に連動させて中心から離れている又は中心に近接している方向に移動させ、それによりされに調整ブロック１４を連動させて移動させ、それにより固定挟み板１７の距離を調整し、固定することに使用される木ロッドまたは鉄ロッドに合わせ、その後ハンドプル板２０を引き動かして両側に移動させ且つプルロッド４５を連動させて互いに離れさせ、それにより更に引き線１９を通してリール１８を回転連動させ、回転軸４１を回転連動させ、スプライン軸３９によって駆動傘歯車３８を回転連動させ、歯車の噛み合いによって従動傘歯車３７を回転連動させ、且つ回転盤３５を回転連動させ、スライドロッド３６によってヒンジロッド３２を連動させて中心に近接している方向に向かって移動させ、このとき、固定挟み板１７の下端が内側に反転し、また固定挟み板１７の上端が外側に反転して広がり、このときに固定挟み板１７を木ロッドまたは鉄ロッドの両側に置いてきつく挟み、この時に挟み板２４を引き動かして両側に広げ、また携帯電話を真ん中に置き、鉄ロッドの張り切りばね４９の弾力によって伸縮ロッド４８を引き動かして中心に向かって移動させ  、それにより更に挟み板２４を引き動かして中心に移動させ、それにより更に携帯電話をきつく挟み、このとき、横になって携帯電話を使用し、回転板１２を回転させて方向を調整することができ、様々な姿勢で携帯電話を弄ることができ、同時に、この装置は垂直に使用されることもでき、その中滑りを防止するために固定挟み板１７が確実に挟むことまたは固定することができることを保証しなければならなく、即ち携帯電話を縦にして使うことができる。
【００１８】
有益な効果は：本装置は携帯電話を安固にぶら下がらせることまたは固定することができ、さまざまな固定位置に対応して調節することができ、人々がベッドに横になって携帯電話を使用し、また携帯の方向を調整でき、同時に縦の携帯電話のホルダーとして使用されることができ、より多くの使用ニーズを満たす。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182199.tif 000003
【図２】
2020182199.tif 000004
【図３】
2020182199.tif 000005
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
固定板を含み、前記固定板の下側には回転板が回転できるように設けられ、前記固定板の中には調整装置が設けられ、前記調整装置には固定装置が設けられ、前記回転板の中には挟み装置が設けられ、前記調整装置によってベッドボードの異なる幅に対応するために調整が行われ、そして前記固定装置によってベッドボードの下に本装置が固定され、前記挟み装置によって携帯電話の両側をきつく挟み、携帯電話の方向を調整するために前記回転板を回転させ、前記固定板の下側には回転チャンバが設けられ、前記回転チャンバの中には回転輪が回転できるように設けられ、前記回転輪の下端には外部に伸びている回転柱が連結され、前記回転板が前記回転柱の下端に連結され、前記調整装置は前記固定板の中に左右に対称的に設けられる調整チャンバを含み、前記調整チャンバの中には調整ブロックがスライドできるように設けられ、前記固定板の右側には回転つまみが回転できるように設けられ、手動で前記回転つまみを回して前記調整ブロックの動きを制御して移動させ、さらにそれにより幅を調整し、前記固定装置は前記調整ブロックの中に設けられる反転チャンバを含み、前記反転チャンバの中には固定挟み板が反転できるように設けられ、前記固定板の中の中間部分にはリールが設けられ、前記リールには引き線が巻き付いており、前記固定板の前後両側にはハンドプル板が設けられ、前記ハンドプル板を引き動かし、前記引き線によって前記リールを回転連動させ、それにより前記固定挟み板の上端を連動させて両側に反転させて開け、それからきつく挟んで固定し、前記挟み装置は前記回転板の中に左右に対称的に設けられる挟み板を含み、前記挟み板の下端は外部に延びており、且つ内側に曲がり、携帯電話をきつく挟む安定性を確保し、
前記調整装置は前記調整チャンバと前記調整ブロックとを含み、前記調整チャンバの下側には制御チャンバが連通するように設けられ、前記制御チャンバの中にはボルトが回転できるように設けられ、左右両側の前記ボルトのねじ山の回転方向が逆であり、前記制御チャンバの中には前記ボルトにねじ山によって連結され、且つ前記調整ブロックの下端に固定的に連結される制御ブロックがスライドできるように設けられ、前記制御チャンバの間には  軸通し穴が連通するように設けられ、前記軸通し穴の中には両端がそれぞれ両側の前記ボルトに固定的に連結される同期軸が回転できるように設けられ、右側の前記ボルトの右端には動力軸が連結され、前記動力軸の右端は外部に延びており、且つ前記回転つまみに固定的に連結され、
前記固定装置は前記反転チャンバを含み、前記固定挟み板の回転軸心の下側部分の左端と前記反転チャンバの左壁との間には反転バネが連結され、前記固定挟み板の下端にはヒンジロッドがヒンジで連結され、前記反転チャンバの対称中心に近接している一側には伝動チャンバが設けられ、前記ヒンジロッドのうち中心に近接している一端が前記伝動チャンバの中に伸びており、また前記ヒンジロッドのうち中心に近接している一端にはスライド溝が設けられ、前記伝動チャンバの中において前記ヒンジロッドの下側のところには回転盤が回転できるように設けられ、前記回転盤の上端面の偏心ところには前記スライド溝の中に伸びているスライドロッドが固定的に設けられ、前記回転盤の下端には従動傘歯車が連結され、前記従動傘歯車のうち中心に近接している一端には前記従動傘歯車と噛み合う駆動傘歯車が設けられ、前記駆動傘歯車のうち中心に近接している一端にはスプライン軸が固定的に連結され、前記固定板の中間にはリールチャンバが設けられ、前記リールが前記リールチャンバの中に回転できるように設けられ、前記リールの左右両端には前記リールチャンバの両壁に回転できるように装着される回転軸が対称的に且つ固定的に設けられ、前記回転軸の中には開口の方向が中心から離れているスプライン孔が設けられ、前記スプライン軸のうち中心に近接している一端には前記スプライン孔の中に延びており、前記リールの左右両端と前記リールチャンバの両壁との間にはトーションバネが固定的に連結され、前記リールチャンバの前後両側には開口が反対であるスライドロッドチャンバが対称的に且つ連通するように設けられ、前記スライドロッドチャンバの中にはプルロッドがスライドできるように設けられ、前記プルロッドのうち中心から離れている一端が前記ハンドプル板に固定的に連結され、前記引き線は二つに分けされ、且つ前記プルロッドのうち中心に近接している一側端面にそれぞれ連結され、
前記挟み装置は前記回転板の中に左右に対称的に設けられるスライドチャンバを含み、前記挟み板の上端は前記スライドチャンバの中に伸びており、前記スライドチャンバのうち中心に近接している一側には伸縮チャンバが連通するように設けられ、前記伸縮チャンバの中には伸縮ロッドがスライドできるように設けられ、前記伸縮ロッドのうち中心から離れている一端が前記挟み板に固定的に連結され、前記伸縮ロッドのうち中心に近接している一端と前記伸縮チャンバの内壁との間には張り切りばねが固定的に連結されることを特徴とするぶら下がり式携帯電話ホルダー。